(57)【特許請求の範囲】
【請求項１】
空気調和機と通信することができ、前記空気調和機を遠隔操作するための通信端末装置とも通信することができ、かつ接点機器を操作することができる空調制御中継機器であって、
前記通信端末装置と通信する第１通信部と、
前記空気調和機と通信する第２通信部と、
前記第１通信部が前記通信端末装置から受信した情報を解析する解析部と、
前記解析部によって前記情報が前記接点機器を操作するための情報であることが解析された場合、前記情報をもとに前記接点機器を操作する操作部とを備え、
前記第１通信部は、前記通信端末装置から受信した前記情報を前記第２通信部及び前記解析部に送信し、
前記第２通信部は、前記第１通信部から受信した前記情報を前記空気調和機に送信する
ことを特徴とする空調制御中継機器。
【請求項２】
前記第２通信部は、前記空気調和機から受信した第２情報を前記第１通信部に送信し、
前記第１通信部は、前記第２通信部から受信した前記第２情報を前記通信端末装置に送信する
ことを特徴とする請求項１に記載の空調制御中継機器。
【請求項３】
前記解析部は、前記第２通信部が前記空気調和機から受信した第２情報を解析する機能を更に有し、
前記操作部は、前記解析部によって前記第２情報が前記接点機器を操作するための情報であることが解析された場合、前記第２情報をもとに前記接点機器を操作する
ことを特徴とする請求項１又は２に記載の空調制御中継機器。
【請求項４】
前記第１通信部は、前記解析部が行う解析によって前記接点機器が操作される場合に前記接点機器が操作されることを示す操作実行情報を前記通信端末装置に送信する
ことを特徴とする請求項１から３のいずれか１項に記載の空調制御中継機器。
【請求項５】
前記空調制御中継機器の外部に位置するセンサから第３情報を受信する第３通信部を更に備え、
前記第３通信部は、受信した前記第３情報を前記解析部に送信し、
前記解析部は、前記第１通信部から受信した前記情報又は前記第２通信部から受信した第２情報が前記第３情報を前記第１通信部に送信することを示していることを解析した場合、前記第３通信部から受信した前記第３情報を前記第１通信部に送信し、
前記第１通信部は、前記解析部から送信された前記第３情報を受信して前記第３情報を前記通信端末装置に送信し、
前記解析部は、前記第１通信部から受信した前記情報又は前記第２通信部から受信した前記第２情報が前記第３情報を前記第２通信部に送信することを示していることを解析した場合、前記第３通信部から受信した前記第３情報を前記第２通信部に送信し、
前記第２通信部は、前記解析部から送信された前記第３情報を受信して前記第３情報を前記空気調和機に送信する
ことを特徴とする請求項１から４のいずれか１項に記載の空調制御中継機器。
【発明の詳細な説明】
【技術分野】
【０００１】
本発明は、空気調和機と通信端末装置との間で送受信される信号を中継する空調制御中継機器に関する。
【背景技術】
【０００２】
一般に、空気調和機は、外気温が一定の温度以下となると、暖房能力が低下してしまうためにユーザが要求する暖房能力を発揮することができない場合がある。空気調和機の暖房能力が低下すると、ユーザは空気調和機とは別に熱源装置を使用する。熱源装置の一例は、ヒータである。ユーザは、空気調和機と熱源装置とを使用する場合、空気調和機と熱源装置とを個別に操作しなければならない。空気調和機と熱源装置とを個別に操作することは、ユーザにとって煩雑な操作である。【０００３】
ユーザに煩雑な操作を行わせないために、通信ネットワークからの信号をもとにホームオートメーション端子に接続された空気調和機及びヒータの各々のオンとオフとを操作することを可能とする制御機能付情報端末装置が提案されている（例えば、特許文献１参照）。
【先行技術文献】
【特許文献】
【０００４】
【特許文献１】特開２００５−２０４１７８号公報
【発明の概要】
【発明が解決しようとする課題】
【０００５】
しかしながら、上記の従来の技術では、制御機能付情報端末装置はホームオートメーション端子を介して空気調和機及びヒータと接続されるので、空気調和機については、単純な制御しか行うことができない。単純な制御の一例は、オンとオフとの切り替え、又は暖房と冷房との切り替えである。言い換えると、上記の従来の技術では、空気調和機については複雑な制御を行うことができない。複雑な制御の一例は、風の向きの制御、又は節電のための制御である。【０００６】
そのため、空気調和機と空気調和機を遠隔操作するための通信端末装置とを有するシステムに上記の従来の技術を導入する場合、空気調和機の機能の一部を制限しなければならなくなる。上述のシステムにおいて、空気調和機の機能を制限することなく接点機器を操作することができる空調制御中継機器が提供されることが要求されている。接点機器は、空調制御中継機器を介して通信端末装置によって制御される機器である。接点機器の一例は、熱源装置である。【０００７】
本発明は、上記に鑑みてなされたものであって、空気調和機と空気調和機を遠隔操作するための通信端末装置とを有するシステムにおいて、空気調和機の機能を制限することなく空気調和機を制御することができると共に、接点機器を操作することができる空調制御中継機器を得ることを目的とする。
【課題を解決するための手段】
【０００８】
上述した課題を解決し、目的を達成するために、本発明に係る空調制御中継機器は、空気調和機と通信することができ、前記空気調和機を遠隔操作するための通信端末装置とも通信することができ、かつ接点機器を操作することができる機器であって、前記通信端末装置と通信する第１通信部と、前記空気調和機と通信する第２通信部と、前記第１通信部が前記通信端末装置から受信した情報を解析する解析部と、前記解析部によって前記情報が前記接点機器を操作するための情報であることが解析された場合、前記情報をもとに前記接点機器を操作する操作部とを有する。前記第１通信部は、前記通信端末装置から受信した前記情報を前記第２通信部及び前記解析部に送信し、前記第２通信部は、前記第１通信部から受信した前記情報を前記空気調和機に送信する。
【発明の効果】
【０００９】
本発明に係る空調制御中継機器は、空気調和機と空気調和機を遠隔操作するための通信端末装置とを有するシステムにおいて、空気調和機の機能を制限することなく空気調和機を制御することができると共に、接点機器を操作することができる。
【図面の簡単な説明】
【００１０】
【図１】実施の形態１に係る空調制御中継機器を有するシステムの構成図
【図２】実施の形態１に係る空調制御中継機器が有する第１通信部の動作の手順の一例を示すフローチャート
【図３】実施の形態１に係る空調制御中継機器が有する解析部の動作の手順の一例を示すフローチャート
【図４】実施の形態１に係る空調制御中継機器が有する第１通信部、第２通信部、解析部及び操作部を構成する少なくとも一部の構成要素が処理回路によって実現される場合の処理回路を示す図
【図５】実施の形態１に係る空調制御中継機器が有する第１通信部、第２通信部、解析部及び操作部の少なくとも一部の機能がプロセッサによって実現される場合のプロセッサを示す図
【図６】実施の形態２に係る空調制御中継機器を有するシステムの構成図
【発明を実施するための形態】
【００１１】
以下に、本発明の実施の形態に係る空調制御中継機器を図面に基づいて詳細に説明する。なお、この実施の形態によりこの発明が限定されるものではない。
【００１２】
実施の形態１．
図１は、実施の形態１に係る空調制御中継機器１を有するシステム１０の構成図である。システム１０は、空調制御中継機器１に加えて、空気調和機２と、空気調和機２を遠隔操作するための通信端末装置３と、接点機器４とを有する。空調制御中継機器１は、空気調和機２と通信することができると共に、通信端末装置３とも通信することができる。更に言うと、空調制御中継機器１は、空気調和機２と通信端末装置３との間で送受信される信号を中継する機器である。空調制御中継機器１は、接点機器４を操作することもできる。接点機器４は、空調制御中継機器１を介して通信端末装置３によって制御される機器である。接点機器４の一例は、ヒータである。
【００１３】
空調制御中継機器１は、通信端末装置３と通信する第１通信部１１と、空気調和機２と通信する第２通信部１２とを有する。空調制御中継機器１は、第１通信部１１が通信端末装置３から受信した第１情報と第２通信部１２が空気調和機２から受信した第２情報との双方を解析する解析部１３を更に有する。空調制御中継機器１は、解析部１３によって第１情報又は第２情報が接点機器４を操作するための情報であることが解析された場合、第１情報又は第２情報をもとに接点機器４を操作する操作部１４を更に有する。
【００１４】
第１通信部１１は、通信端末装置３から受信した第１情報を第２通信部１２及び解析部１３に送信する。第１通信部１１は、解析部１３が行う解析によって接点機器４が操作される場合に接点機器４が操作されることを示す操作実行情報を通信端末装置３に送信する。例えば、第１通信部１１は、解析部１３が行う解析によって第１情報をもとに接点機器４が操作される場合、第１情報をもとに接点機器４が操作されることを示す操作実行情報を通信端末装置３に送信する。
【００１５】
第２通信部１２は、第１通信部１１から受信した第１情報を空気調和機２に送信すると共に、空気調和機２から受信した第２情報を第１通信部１１及び解析部１３に送信する。第１通信部１１は、第２通信部１２から受信した第２情報を通信端末装置３に送信する。
【００１６】
以下に、空調制御中継機器１が有する第１通信部１１、第２通信部１２、解析部１３及び操作部１４の各々の機能の具体例を説明する。第１通信部１１は、通信端末装置３から任意のタイミングで送信されてくる信号を１バイト単位で受信し、通信端末装置３から１バイト分の信号を受信する毎に、１バイト分の信号を第２通信部１２に送信する。第１通信部１１、第２通信部１２、解析部１３及び操作部１４がひとつのマイクロコンピュータによって実現される場合、第１通信部１１が通信端末装置３から信号を受信して受信した信号を第２通信部１２に送信する処理は、当該マイクロコンピュータの受信割り込み処理によって実現される。
【００１７】
第１通信部１１は、通信端末装置３から受信した信号の量があらかじめ決められた特定の量に達した場合、通信端末装置３から受信した信号を解析部１３に送信すると共に、送信された信号を解析することを解析部１３に要求する。
【００１８】
第２通信部１２は、第１通信部１１から信号を受信すると、受信した信号を空気調和機２に送信する。第１通信部１１、第２通信部１２、解析部１３及び操作部１４がひとつのマイクロコンピュータによって実現されている場合、第２通信部１２が第１通信部１１から信号を受信して受信した信号を空気調和機２に送信する処理は、当該マイクロコンピュータの送信割り込み処理によって実現される。例えば、第１通信部１１が当該マイクロコンピュータのひとつの特定の送信ポートに信号を割り当てることによって上記の送信割り込み処理は実現される。その場合、第２通信部１２の処理は第１通信部１１が当該特定の送信ポートに信号を割り当てる処理で代替される。
【００１９】
第２通信部１２は、空気調和機２から任意のタイミングで送信されてくる信号を１バイト単位で受信し、空気調和機２から１バイト分の信号を受信する毎に、１バイト分の信号を第１通信部１１に送信する。第１通信部１１、第２通信部１２、解析部１３及び操作部１４がひとつのマイクロコンピュータによって実現される場合、第２通信部１２が空気調和機２から信号を受信して受信した信号を第１通信部１１に送信する処理は、当該マイクロコンピュータの受信割り込み処理によって実現される。
【００２０】
第１通信部１１は、第２通信部１２から信号を受信すると、受信した信号を通信端末装置３に送信する。第１通信部１１、第２通信部１２、解析部１３及び操作部１４がひとつのマイクロコンピュータによって実現される場合、第１通信部１１が第２通信部１２から信号を受信して受信した信号を通信端末装置３に送信する処理は、当該マイクロコンピュータの送信割り込み処理によって実現される。例えば、第２通信部１２が当該マイクロコンピュータのひとつの特定の送信ポートに信号を割り当てることによって上記の送信割り込み処理は実現される。その場合、第１通信部１１の処理は第２通信部１２が当該ひとつの特定の送信ポートに信号を割り当てる処理で代替される。
【００２１】
第２通信部１２は、空気調和機２から受信した信号の量があらかじめ決められた特定の量に達した場合、空気調和機２から受信した信号を解析部１３に送信すると共に、送信された信号を解析することを解析部１３に要求する。
【００２２】
解析部１３は、第１通信部１１から解析することを要求された場合、第１通信部１１から受信した信号を解析する。解析部１３は、第２通信部１２から解析することを要求された場合、第２通信部１２から受信した信号を解析する。解析部１３は、解析の結果、接点機器４の接点についての処理が必要であると判断した場合、接点機器４の接点についての操作を行わせる指示を含む信号を操作部１４に送信する。
【００２３】
操作部１４は、接点機器４の接点についての操作を行わせるための指示を含む信号を解析部１３から受信した場合、当該指示にしたがって当該接点についての操作を行う。
【００２４】
次に、第１通信部１１の動作のひとつの具体例を説明する。図２は、実施の形態１に係る空調制御中継機器１が有する第１通信部１１の動作の手順の一例を示すフローチャートである。第１通信部１１、第２通信部１２、解析部１３及び操作部１４がひとつのマイクロコンピュータによって実現される場合、第１通信部１１の動作の手順は当該マイクロコンピュータの受信割り込み機能によって呼び出されてもよい。第１通信部１１の動作は、あらかじめ決められた周期毎に行われてもよい。
【００２５】
まず、第１通信部１１は、通信端末装置３から信号を受信したか否かを判定する（Ｓ１）。ステップＳ１において、第１通信部１１は、パリティビットを用いた誤り検出を行うことによって通信端末装置３から受信した信号が誤りであると判断した場合、通信端末装置３から受信した信号を破棄するフィルタ処理を行ってもよい。
【００２６】
第１通信部１１は、通信端末装置３から信号を受信したと判定した場合（Ｓ１でＹｅｓ）、通信端末装置３から受信した信号を第２通信部１２に送信する（Ｓ２）。第２通信部１２は、第１通信部１１から受信した信号を空気調和機２に送信する。すなわち、通信端末装置３からの信号は空調制御中継機器１によって中継されて空気調和機２に伝達される。第１通信部１１、第２通信部１２、解析部１３及び操作部１４がひとつのマイクロコンピュータによって実現される場合、第１通信部１１が通信端末装置３からの信号を受信して受信した信号を第２通信部１２に信号を送信する処理は、通信端末装置３からの信号が当該マイクロコンピュータのひとつの特定の送信ポートに割り当てられることによって実現されてもよい。
【００２７】
ステップＳ２において、第１通信部１１は、通信端末装置３から受信した信号を蓄積することなく第２通信部１２に送信する。これにより、空調制御中継機器１が行う処理がシステム１０の全体の動作に影響することを抑制することができる。具体的には、空調制御中継機器１が通信端末装置３からの信号を中継して空気調和機２に送信するので、当該信号による空気調和機２の動作は空調制御中継機器１が行う中継に係る時間だけ遅延する。しかしながら、第１通信部１１が通信端末装置３から受信した信号は蓄積されないので、空気調和機２の動作が中継に係る時間を超えて遅延することは抑制される。
【００２８】
ステップＳ２の動作が行われた後、第１通信部１１は、通信端末装置３から受信した信号の量があらかじめ決められた特定の量に達したか否かを判定する（Ｓ３）。第１通信部１１は、通信端末装置３から受信した信号の量があらかじめ決められた特定の量に達したと判定した場合（Ｓ３でＹｅｓ）、通信端末装置３から受信した特定の量の信号を解析部１３に送信する（Ｓ４）。加えて、第１通信部１１は、送信した信号を解析することを解析部１３に要求する。
【００２９】
第１通信部１１は、通信端末装置３から受信した信号の特定のバイトに格納されている信号が示す値をあらかじめ決められた特定の量として採用してもよい。その場合、第１通信部１１は、通信端末装置３から受信した信号のうちの特定のバイトを含む信号を解析部１３に送信する。更に言うと、第１通信部１１は、ひとつ前の受信タイミングから一定期間経過した場合にも、受信完了したとしてステップＳ４の動作を行ってもよい。第１通信部１１は、通信端末装置３から受信した信号の量があらかじめ決められた特定の量に達していないと判定した場合（Ｓ３でＮｏ）、ステップＳ４の動作を実施せず処理を終了する。
【００３０】
第１通信部１１は、通信端末装置３から信号を受信していないと判定した場合（Ｓ１でＮｏ）、第２通信部１２から信号を受信したか否かを判定する（Ｓ５）。第１通信部１１は、第２通信部１２から信号を受信したと判定した場合（Ｓ５でＹｅｓ）、第２通信部１２から受信した信号を通信端末装置３に送信する（Ｓ６）。第１通信部１１、第２通信部１２、解析部１３及び操作部１４がひとつのマイクロコンピュータによって実現される場合、第２通信部１２が空気調和機２からの信号を受信した後に第１通信部１１が第２通信部１２から信号を受信する処理は、空気調和機２からの信号が当該マイクロコンピュータのひとつの特定の送信ポートに割り当てられることによって実現されてもよい。
【００３１】
第１通信部１１は、第２通信部１２から信号を受信したと判定しない場合（Ｓ５でＮｏ）と、ステップＳ６の動作を行った後、一連の動作を終了し、上述のステップＳ１からステップＳ６までの動作を繰り返す。
【００３２】
第２通信部１２は、第１通信部１１の動作と同様に動作する。具体的には、第２通信部１２の動作のひとつの具体例では、図２に示すフローチャートを用いた上述の説明において、第１通信部１１と第２通信部１２とが互いに置き換えられ、通信端末装置３と空気調和機２とが互いに置き換えられる。
【００３３】
次に、解析部１３の動作のひとつの具体例を説明する。図３は、実施の形態１に係る空調制御中継機器１が有する解析部１３の動作の手順の一例を示すフローチャートである。第１通信部１１、第２通信部１２、解析部１３及び操作部１４がひとつのマイクロコンピュータによって実現される場合、解析部１３の動作の手順は当該マイクロコンピュータの受信割り込み機能によって呼び出されてもよい。解析部１３の動作は、あらかじめ決められた周期毎に行われてもよい。
【００３４】
解析部１３は、受信した信号を解析することが要求されているか否かを判定する（Ｓ１１）。解析部１３は、受信した信号を解析することが要求されていると判定した場合（Ｓ１１でＹｅｓ）、受信した信号を解析する（Ｓ１２）。解析部１３は、あらかじめ決められたアルゴリズムにしたがって解析を実行する。
【００３５】
解析部１３は、解析の結果、第１通信部１１から受信した信号が接点機器４の接点を閉じることを示す接点閉信号であるか否かを判定する（Ｓ１３）。解析部１３は、受信した信号が接点閉信号であると判定した場合（Ｓ１３でＹｅｓ）、接点機器４の接点を閉じる操作を行わせる指示を操作部１４に通知する（Ｓ１４）。操作部１４は、解析部１３からの指示にしたがって当該接点を閉じる。
【００３６】
解析部１３は、受信した信号が接点閉信号でないと判定した場合（Ｓ１３でＮｏ）、第１通信部１１から受信した信号が接点機器４の接点を開くことを示す接点開信号であるか否かを判定する（Ｓ１５）。解析部１３は、受信した信号が接点開信号であると判定した場合（Ｓ１５でＹｅｓ）、接点機器４の接点を開く操作を行わせる指示を操作部１４に通知する（Ｓ１６）。操作部１４は、解析部１３からの指示にしたがって当該接点を開く。
【００３７】
ステップＳ１４及びステップＳ１５の動作が行われた後、解析部１３は、接点機器４が操作されることを示す操作実行情報を第１通信部１１に送信する（Ｓ１７）。第１通信部１１は、解析部１３からの操作実行情報を受信して操作実行情報を通信端末装置３に送信する。第１通信部１１及び第２通信部１２がひとつのマイクロコンピュータによって実現される場合、ステップＳ１７の動作は当該マイクロコンピュータの送信割り込み処理によって実現される。例えば、解析部１３は、操作実行情報を示す信号を当該マイクロコンピュータのひとつの送信ポートに信号を割り当てることによって上記の送信割り込み処理は実現される。その場合、第１通信部１１の処理は解析部１３が当該送信ポートに信号を割り当てる処理で代替される。
【００３８】
解析部１３は、受信した信号を解析することが要求されていないと判定した場合（Ｓ１１でＮｏ）と、受信した信号が接点開信号であると判定しない場合（Ｓ１５でＮｏ）と、ステップＳ１７の動作を行った後、一連の動作を終了し、上述のステップＳ１１からステップＳ１７までの動作を繰り返す。
【００３９】
操作部１４は、解析部１３からの指示にしたがって接点機器４の接点の開閉を行う。システム１０が複数の接点機器４を有する場合、操作部１４は、複数の接点機器４の接点を閉じる指示が解析部１３から通知されたとき、突入電流が流れることを抑制するために、複数の接点機器４の接点を同時に閉じない。操作部１４は、複数の接点機器４の接点を順に閉じる。
【００４０】
上述の通り、空調制御中継機器１では、第１通信部１１は通信端末装置３から受信した第１情報を第２通信部１２に送信し、第２通信部１２は第１通信部１１から受信した第１情報を空気調和機２に送信する。更に言うと、空調制御中継機器１は、通信端末装置３から受信した第１情報を加工することなく空気調和機２に送信する。加えて、空調制御中継機器１では、解析部１３は、第１通信部１１が通信端末装置３から受信した第１情報を解析し、操作部１４は、解析部１３によって第１情報が接点機器４を操作するための情報であることが解析された場合、第１情報をもとに接点機器４を操作する。
【００４１】
したがって、空調制御中継機器１は、空気調和機２と空気調和機２を遠隔操作するための通信端末装置３とを有するシステム１０において、空気調和機２の機能を制限することなく空気調和機２を制御することができると共に、接点機器４を操作することができる。具体的には、接点機器４がヒータ、扇風機又は除加湿器である場合、空調制御中継機器１は、空気調和機２の機能を制限することなく空気調和機２を制御することができると共に、ヒータ、扇風機又は除加湿器を操作することができる。
【００４２】
加えて、空調制御中継機器１では、第２通信部１２は空気調和機２から受信した第２情報を第１通信部１１に送信し、第１通信部１１は第２通信部１２から受信した第２情報を通信端末装置３に送信する。つまり、空調制御中継機器１は、空気調和機２からの第２情報そのものを通信端末装置３に伝達することができる。
【００４３】
さらに、空調制御中継機器１では、解析部１３は、第２通信部１２が空気調和機２から受信した第２情報を解析する機能を有しており、操作部１４は、解析部１３によって第２情報が接点機器４を操作するための情報であることが解析された場合、第２情報をもとに接点機器４を操作する。つまり、空調制御中継機器１は、空気調和機２からの第２情報をもとに接点機器４を操作することができる。
【００４４】
さらにまた、空調制御中継機器１では、第１通信部１１は、解析部１３が行う解析によって接点機器４が操作される場合に接点機器４が操作されることを示す操作実行情報を通信端末装置３に送信する。つまり、空調制御中継機器１は、第１情報又は第２情報をもとに接点機器４が操作される場合に接点機器４が操作されることを通信端末装置３に通知することができる。
【００４５】
図４は、実施の形態１に係る空調制御中継機器１が有する第１通信部１１、第２通信部１２、解析部１３及び操作部１４を構成する少なくとも一部の構成要素が処理回路４１によって実現される場合の処理回路４１を示す図である。つまり、第１通信部１１、第２通信部１２、解析部１３及び操作部１４の機能の少なくとも一部は、処理回路４１によって実現されてもよい。
【００４６】
処理回路４１は、専用のハードウェアである。処理回路４１は、例えば、単一回路、複合回路、プログラム化されたプロセッサ、並列プログラム化されたプロセッサ、ＡＳＩＣ（Application  Specific  Integrated  Circuit）、ＦＰＧＡ（Field-Programmable  Gate  Array）、又はこれらを組み合わせたものである。第１通信部１１、第２通信部１２、解析部１３及び操作部１４の一部は、残部とは別個の専用のハードウェアであってもよい。
【００４７】
図５は、実施の形態１に係る空調制御中継機器１が有する第１通信部１１、第２通信部１２、解析部１３及び操作部１４の少なくとも一部の機能がプロセッサ５１によって実現される場合のプロセッサ５１を示す図である。つまり、第１通信部１１、第２通信部１２、解析部１３及び操作部１４の少なくとも一部の機能は、メモリ５２に格納されるプログラムを実行するプロセッサ５１によって実現されてもよい。プロセッサ５１は、ＣＰＵ（Central  Processing  Unit）、処理装置、演算装置、マイクロプロセッサ、マイクロコンピュータ、又はＤＳＰ（Digital  Signal  Processor）である。図５には、メモリ５２も示されている。
【００４８】
第１通信部１１、第２通信部１２、解析部１３及び操作部１４の少なくとも一部の機能がプロセッサ５１によって実現される場合、当該一部の機能は、プロセッサ５１と、ソフトウェア、ファームウェア、又はソフトウェアとファームウェアとの組み合わせにより実現される。ソフトウェア又はファームウェアはプログラムとして記述され、メモリ５２に格納される。プロセッサ５１は、メモリ５２に記憶されたプログラムを読み出して実行することにより、第１通信部１１、第２通信部１２、解析部１３及び操作部１４の少なくとも一部の機能を実現する。
【００４９】
すなわち、第１通信部１１、第２通信部１２、解析部１３及び操作部１４の少なくとも一部の機能がプロセッサ５１によって実現される場合、空調制御中継機器１は、第１通信部１１、第２通信部１２、解析部１３及び操作部１４の一部によって実行されるステップが結果的に実行されることになるプログラムを格納するためのメモリ５２を有する。メモリ５２に格納されるプログラムは、第１通信部１１、第２通信部１２、解析部１３及び操作部１４の一部が実行する手順又は方法をコンピュータに実行させるものであるともいえる。
【００５０】
メモリ５２は、例えば、ＲＡＭ（Random  Access  Memory）、ＲＯＭ（Read  Only  Memory）、フラッシュメモリ、ＥＰＲＯＭ（Erasable  Programmable  Read  Only  Memory）、ＥＥＰＲＯＭ（Electrically  Erasable  Programmable  Read-Only  Memory）等の不揮発性もしくは揮発性の半導体メモリ、磁気ディスク、フレキシブルディスク、光ディスク、コンパクトディスク、ミニディスク又はＤＶＤ（Digital  Versatile  Disk）等である。
【００５１】
第１通信部１１、第２通信部１２、解析部１３及び操作部１４の複数の機能について、当該複数の機能の一部が専用のハードウェアで実現され、当該複数の機能の残部がソフトウェア又はファームウェアで実現されてもよい。このように、第１通信部１１、第２通信部１２、解析部１３及び操作部１４の複数の機能は、ハードウェア、ソフトウェア、ファームウェア、又はこれらの組み合わせによって実現することができる。
【００５２】
実施の形態２．
図６は、実施の形態２に係る空調制御中継機器１Ａを有するシステム１０Ａの構成図である。システム１０Ａは、空調制御中継機器１Ａに加えて、空気調和機２と、通信端末装置３と、接点機器４と、空調制御中継機器１Ａの外部に位置するセンサ５とを有する。空気調和機２、通信端末装置３及び接点機器４については、実施の形態１において説明したので実施の形態２では説明を省略する。実施の形態２では、実施の形態１と異なる点を主に説明する。
【００５３】
センサ５の一例は、空気調和機２が設置されている建物の外の気温を検出する温度センサ、人感センサ又はガスセンサである。空調制御中継機器１Ａは、実施の形態１に係る空調制御中継機器１が有する第１通信部１１、第２通信部１２、解析部１３及び操作部１４を有すると共に、センサ５によって検出された値についての第３情報を受信する第３通信部１５を有する。更に言うと、センサ５は第３情報を第３通信部１５に送信し、第３通信部１５はセンサ５からの第３情報を受信する。
【００５４】
第１通信部１１、第２通信部１２、解析部１３、操作部１４及び第３通信部１５がひとつのマイクロコンピュータによって実現されていて、センサ５が可変抵抗である場合、第３情報は当該マイクロコンピュータのアナログディジタルポートから当該マイクロコンピュータの内部に取り込まれてもよい。
【００５５】
第３通信部１５は、センサ５から受信した第３情報を解析部１３に送信する。解析部１３は、第１通信部１１から受信した第１情報が第３情報を第１通信部１１に送信することを要求していることを解析した場合、第３通信部１５から受信した第３情報を第１通信部１１に送信する。解析部１３は、第２通信部１２から受信した第２情報が第３情報を第１通信部１１に送信することを要求していることを解析した場合においても、第３通信部１５から受信した第３情報を第１通信部１１に送信する。第１通信部１１は、解析部１３から送信された第３情報を受信して第３情報を通信端末装置３に送信する。
【００５６】
解析部１３は、第１通信部１１から受信した第１情報が第３情報を第２通信部１２に送信することを要求していることを解析した場合、第３通信部１５から受信した第３情報を第２通信部１２に送信する。解析部１３は、第２通信部１２から受信した第２情報が第３情報を第２通信部１２に送信することを要求していることを解析した場合においても、第３通信部１５から受信した第３情報を第２通信部１２に送信する。第２通信部１２は、解析部１３から送信された第３情報を受信して第３情報を空気調和機２に送信する。
【００５７】
上述の通り、空調制御中継機器１Ａは、空気調和機２と通信端末装置３との間の通信に影響を与えることなくセンサ５からの第３情報を空気調和機２及び通信端末装置３の一方又は双方に送信する。つまり、空調制御中継機器１Ａは、実施の形態１に係るシステム１０に、空気調和機２と通信端末装置３との間の通信に影響を与えることなくセンサ５を含めることができる。
【００５８】
第３通信部１５の少なくとも一部の機能は、処理回路４１によって実現されてもよいし、処理回路４１と同じ機能を有する処理回路によって実現されてもよい。又は、第３通信部１５の少なくとも一部の機能は、プロセッサ５１によって実現されてもよいし、プロセッサ５１とは異なるプロセッサによって実現されてもよい。第３通信部１５の少なくとも一部の機能がプロセッサ５１によって実現される場合、メモリ５２は、第３通信部１５の少なくとも一部によって実行されるステップが結果的に実行されることになるプログラムを記憶する。第３通信部１５の少なくとも一部の機能がプロセッサ５１とは異なるプロセッサによって実現される場合、空調制御中継機器１Ａは、第３通信部１５の少なくとも一部によって実行されるステップが結果的に実行されることになるプログラムを格納するためのメモリを有する。当該メモリは、メモリ５２であってもよいし、メモリ５２と同じ機能を有するメモリであってもよい。
【００５９】
以上の実施の形態に示した構成は、本発明の内容の一例を示すものであり、別の公知の技術と組み合わせることも可能であるし、本発明の要旨を逸脱しない範囲で、構成の一部を省略又は変更することも可能である。
【符号の説明】
【００６０】
１，１Ａ  空調制御中継機器、２  空気調和機、３  通信端末装置、４  接点機器、５  センサ、１０，１０Ａ  システム、１１  第１通信部、１２  第２通信部、１３  解析部、１４  操作部、１５  第３通信部、４１  処理回路、５１  プロセッサ、５２  メモリ。
【図１】
0006656468.tif 000002
【図２】
0006656468.tif 000003
【図３】
0006656468.tif 000004
【図４】
0006656468.tif 000005
【図５】
0006656468.tif 000006
【図６】
0006656468.tif 000007